(57)【要約】【課題】表示装置と送信端末間の通信帯域を無駄にすることなく、音声利用の自由度が高いプレゼンテーションシステムを提供する。【解決手段】表示装置と、表示装置に表示させる画像の画像データ及び表示装置に再生させる音声の音声データを送信する少なくとも１台の送信端末とを有し、送信端末が、利用者が表示装置に対する音声データの送信指示を入力するための入力手段を備える。【選択図】図１
2017169101.tif 000002
【特許請求の範囲】
【請求項１】
表示装置と、
前記表示装置に表示させる画像に対応する画像データ及び前記表示装置に再生させる音声に対応する音声データを送信する少なくとも１台の送信端末と、
を有し、
前記送信端末は、
利用者が前記表示装置に対する前記音声データの送信指示を入力するための入力手段を備えるプレゼンテーションシステム。
【請求項２】
請求項１に記載のプレゼンテーションシステムにおいて、
前記送信端末は、
前記利用者が前記入力手段を用いて前記音声データの送信指示を入力すると、前記表示装置に前記音声データの送信許可を求める送信許可要求を送信し、
前記表示装置は、
送信端末からの音声データの受信中に、該送信端末とは異なる他の送信端末から送信許可要求を受信すると、該送信許可要求を送信した他の送信端末に送信不許可を通知し、
前記送信不許可を受信した他の送信端末は音声データの送信を停止するプレゼンテーションシステム。
【請求項３】
請求項１に記載のプレゼンテーションシステムにおいて、
前記送信端末は、
前記利用者が前記入力手段を用いて前記音声データの送信指示を入力すると、前記表示装置に前記音声データの送信許可を求める送信許可要求を送信し、
前記表示装置は、
送信端末からの音声データの受信中に、該送信端末とは異なる他の送信端末から送信許可要求を受信すると、該音声データを送信中の送信端末に該音声データの受信終了を通知し、該送信許可要求を送信した他の送信端末に送信許可を通知し、
前記音声データの受信終了を受信した送信端末は該音声データの送信を終了し、
前記送信許可を受信した他の送信端末は音声データの送信を開始するプレゼンテーションシステム。
【請求項４】
請求項１に記載のプレゼンテーションシステムにおいて、
前記送信端末は、
前記利用者が前記入力手段を用いて前記音声データの送信指示を入力すると、前記表示装置に前記音声データの送信許可を求める送信許可要求を送信し、
前記表示装置は、
送信端末からの音声データの受信中に、該送信端末とは異なる他の送信端末から送信許可要求を受信すると、所定の条件にしたがって該送信許可要求を許可するか否かを判定し、
該送信許可要求を許可しない場合、該送信許可要求を送信した他の送信端末に送信不許可を通知し、
該送信許可要求を許可する場合、音声データを送信中の送信端末に該音声データの受信終了を通知し、該送信許可要求を送信した他の送信端末に送信許可を通知し、
音声データの受信終了を受信した送信端末は該音声データの送信を終了し、
前記他の送信端末は、前記送信不許可を受信した場合は音声データの送信を停止し、前記送信許可を受信した場合は前記音声データの送信を開始するプレゼンテーションシステム。
【発明の詳細な説明】
【技術分野】
【０００１】
本発明はプレゼンテーションシステムに関する。
【背景技術】
【０００２】
パーソナルコンピュータ等の送信端末によりデスクトップ画面（画像）や音声を取り込んでデータ化し、ＬＡＮ（Local Area Network）を経由してプロジェクター等の表示装置に該データを送信して表示させるプレゼンテーションシステムが知られている。
【０００３】
また、近年では、複数の送信端末と表示装置とをＬＡＮで接続し、複数の送信端末から送信される画像を表示装置の表示領域を分割して同時に表示(分割領域表示)できるプレゼンテーションシステムも開発されている。このようなプレゼンテーションシステムでは、送信された画像データのいずれか１つを選択して表示領域全体に表示(全領域表示)させることも可能であり、会議や教育現場等で利用されている。なお、複数の送信端末と表示装置との接続には、ＬＡＮケーブルを必要としない無線ＬＡＮが、その利便性の高さから広く用いられている。
【０００４】
上述したプレゼンテーションシステムでは、送信端末から表示装置に画像データの送信と共に音声データの送信を自動的に開始すると、表示装置で音声を再生しない（利用しない）場合でも音声データが表示装置に送信されるため、ＬＡＮの通信帯域が無駄になってしまう。
【０００５】
また、複数の送信端末と表示装置とをＬＡＮで接続する構成では、複数の送信端末から音声データが同時に送信されると、複数の音声が表示装置で同時に再生されることで、プレゼンテーションの聴衆を混乱させるおそれもある。
【０００６】
そこで、特許文献１では、表示装置が、１台の送信端末と接続された占有モード、または複数台の送信端末と接続された共有モードであることを示す情報を各送信端末へ通知し、送信端末は、占有モードのときは表示装置へ画像データ及び音声データを送信し、共有モードのときは表示装置へ画像データのみを送信するプレゼンテーションシステムが提案されている。表示装置は、占有モードのとき、送信端末から送信された画像データを全領域表示すると共に音声を再生し、共有モードのときは複数の送信端末から送信された画像データを分割領域表示する。
【先行技術文献】
【特許文献】
【０００７】
【特許文献１】特開２００７−２０８６０６号公報
【発明の概要】
【発明が解決しようとする課題】
【０００８】
上述した特許文献１に記載されたプレゼンテーションシステムでは、占有モードのとき、表示装置で音声を利用しない場合でも音声データが送信端末から表示装置に送信される。そのため、特許文献１に記載されたプレゼンテーションシステムは、上述したＬＡＮの通信帯域が無駄になる課題を解決できていない。
【０００９】
また、特許文献１に記載されたプレゼンテーションシステムでは、表示装置による音声の再生が占有モード時のみに限定されてしまうため、音声利用の自由度が低いという課題もある。
【００１０】
本発明は上述した背景技術が有する課題を解決するためになされたものであり、表示装置と送信端末間の通信帯域を無駄にすることなく、音声利用の自由度が高いプレゼンテーションシステムを提供することを目的とする。
【課題を解決するための手段】
【００１１】
上記目的を達成するため本発明のプレゼンテーションシステムは、表示装置と、
前記表示装置に表示させる画像に対応する画像データ及び前記表示装置に再生させる音声に対応する音声データを送信する少なくとも１台の送信端末と、
を有し、
前記送信端末は、
利用者が前記表示装置に対する前記音声データの送信指示を入力するための入力手段を備える。
【発明の効果】
【００１２】
本発明によれば、表示装置と送信端末間の通信帯域を無駄にすることなく、音声利用の自由度が高いプレゼンテーションシステムが得られる。
【図面の簡単な説明】
【００１３】
【図１】本発明のプレゼンテーションシステムの構成を模式的に示す模式図である。
【図２】第１の実施の形態の送信端末及び表示装置の一構成例を示すブロック図である。
【図３】第１の実施の形態のプレゼンテーションシステムによる画像データの送受信処理の一例を示すシーケンス図である。
【図４】第１の実施の形態のプレゼンテーションシステムによる音声データの送受信処理の一例を示すシーケンス図である。
【図５】第２の実施の形態のプレゼンテーションシステムによる音声データの送受信処理の一例を示すシーケンス図である。
【図６】第３の実施の形態の表示装置による処理の一例を示すフローチャートである。
【図７】第４の実施の形態の送信端末及び表示装置の一構成例を示すブロック図である。
【図８】第４の実施の形態の送信端末及び表示装置の動作の一例を示す模式図である。
【図９】第５の実施の形態の送信端末及び表示装置の一構成例を示すブロック図である。
【図１０】第５の実施の形態の送信端末及び表示装置の動作の一例を示す模式図である。
【発明を実施するための形態】
【００１４】
次に本発明について図面を用いて説明する。
（第１の実施の形態）
図１は、本発明のプレゼンテーションシステムの構成を模式的に示す模式図である。
【００１５】
図１に示すように、第１の実施の形態のプレゼンテーションシステムは、表示装置１と、該表示装置１と通信可能に接続される少なくとも１台の送信端末２とを有する。表示装置１と送信端末２（図１に示す例では２Ａ〜２Ｄ）とは、有線ＬＡＮ、無線ＬＡＮ、あるいはその他の周知の通信回線を介して接続される。
【００１６】
表示装置１は、複数の送信端末２から送信された画像データに基づく複数の画像を同時に表示させる分割領域表示、または送信された画像データのいずれか１つを選択して表示領域全体に表示させる全領域表示が可能な構成である。また、表示装置１は、送信端末２から送信された音声データに基づく音声を再生するためのスピーカ及び信号増幅器を含む音声再生装置（後述する「音声出力部」）を備えた構成である。音声再生装置は、表示装置１内に備える必要はなく、表示装置１から独立した構成でもよい。
表示装置１は、該表示装置１の利用者が指示を入力するための入力手段を備え、分割領域表示または全領域表示の選択、音声の再生要否等が、利用者により設定可能である。
【００１７】
送信端末２は、表示装置１に表示させる画像に対応する画像データ及び表示装置１に再生させる音声に対応する音声データを送信する。
送信端末２は、利用者が各種指示を入力するための入力手段を備える。利用者による指示内容としては、表示装置１に対する音声データの送信指示、音声データの送信中における、他の送信端末２からの表示装置１に対する音声データの送信受け入れ可否の指示等がある。
【００１８】
送信端末２は、例えばプログラムにしたがって処理を実行するＣＰＵ（Central Processing Unit）、プログラムやデータを保存する記憶装置、各種の論理回路、無線ＬＡＮ等を介して表示装置１へ画像信号や音声信号を送信する通信手段等を備えた情報処理装置（コンピュータ）で実現できる。
【００１９】
表示装置１は、無線ＬＡＮ等を介して送信端末２から送信される画像データや音声データを受信する通信手段を備えたプロジェクター、液晶ディスプレイ、プラズマディスプレイ等で実現できる。
【００２０】
図１では、表示装置１に４台の送信端末２（２Ａ〜２Ｄ）が通信可能に接続される例を示しているが、表示装置１に接続される送信端末２の数は４台に限定されるものではない。表示装置１には、１台以上の送信端末２が通信可能に接続できる。
【００２１】
また、図１では、送信端末２（２Ａ）に対する利用者の指示入力により、表示装置１が送信端末２（２Ａ）から送信された音声データに基づく音声Ａを再生する例を示しているが、表示装置１は、送信端末（２Ｂ〜２Ｄ）に対する利用者の指示入力により、送信端末（２Ｂ〜２Ｄ）から送信された音声データに基づく音声を再生することも可能である。
但し、上述したように、表示装置１で複数の音声を同時に再生することは好ましくないため、各送信端末２は、利用者により音声データの送信指示が入力されると、表示装置１に対して音声データの送信許可を求める送信許可要求を送信する。第１の実施の形態のプレゼンテーションシステムは、表示装置１が任意の送信端末２から音声データを既に受信・再生している場合、該送信端末２とは異なる他の送信端末２からの音声データの送信を許可しない例である。
【００２２】
図２は、第１の実施の形態の送信端末及び表示装置の一構成例を示すブロック図である。
図２に示すように、送信端末２は、入力手段２１、接続制御部２２、画像キャプチャ部２３、画像データ生成部２４、画像データ送信部２５、音声キャプチャ部２６、音声データ生成部２７、音声データ送信部２８及びネットワークインタフェース（Ｉ／Ｆ）２９を備える。
【００２３】
入力手段２１は、上述したように、利用者が送信端末２へ各種の指示を入力するためのユーザインタフェースである。入力手段２１は、利用者が所要の指示を入力できればどのようなものでもよく、例えばキーボード、マウス、タッチパネル等を用いて指示を入力する構成でもよく、専用の入力ボタン等を備えた構成でもよい。なお、上述した図１は、音声データの送信を指示する入力手段２１として、専用の入力ボタンを備える例を示している。
ネットワークＩ／Ｆ２９は、表示装置１とデータやメッセージの送受信を可能にするための周知の通信装置である。
【００２４】
接続制御部２２は、送信端末２が表示装置１と通信可能に接続され、表示装置１により該送信端末２に表示領域が割り当てられると、画像キャプチャ部２３に処理の開始を指示する。また、接続制御部２２は、利用者が、入力手段２１を用いて音声データの送信指示を入力すると、音声データの送信許可要求を表示装置１へ送信する。そして、表示装置１から音声データの送信許可が通知された場合は音声キャプチャ部２６に処理開始を指示し、表示装置１から音声データの送信不許可が通知された場合は音声キャプチャ部２６に処理の開始を指示しない。
【００２５】
画像キャプチャ部２３は、接続制御部２２から処理の開始が指示されると、所定の周期毎にデスクトップ画面に表示された画像を取り込み、その画像情報を画像データ生成部２４に出力する。
画像データ生成部２４は、画像キャプチャ部２３から受け取った画像情報を符号化して画像データを生成し、該画像データを画像データ送信部２５に出力する。画像データ生成部２４は、符号化だけでなく、圧縮、暗号化等の処理を実行した画像データを生成してもよい。
画像データ送信部２５は、画像データ生成部２４から受け取った画像データをネットワークＩ／Ｆ２９を介して表示装置１へ送信する。
【００２６】
音声キャプチャ部２６は、接続制御部２２から処理の開始が指示されると、所定の周期で音声を取り込み、その音声情報を音声データ生成部２７に出力する。
音声データ生成部２７は、音声キャプチャ部２６から受け取った音声情報を符号化して音声データを生成し、該音声データを音声データ送信部２８に出力する。音声データ生成部２７は、符号化だけでなく、圧縮、暗号化等の処理を実行した音声データを生成してもよい。
音声データ送信部２８は、音声データ生成部２７から受け取った音声データをネットワークＩ／Ｆ２９を介して表示装置１へ送信する。
【００２７】
図２に示すように、表示装置１は、入力手段１１、接続管理部１２、表示管理部１３、画像データ受信部１４、画像データ展開部１５、画像出力部１６、音声データ受信部１７、音声データ展開部１８、音声出力部１９及びネットワークＩ／Ｆ３０を備える。
【００２８】
入力手段１１は、上述したように、利用者が表示装置１へ各種の指示を入力するためのユーザインタフェースである。入力手段１１は、利用者が所要の指示を入力できればどのようなものでもよく、例えばＯＳＤ（On-Screen Display）機能を用いてもよく、専用の入力ボタンを備えた構成でもよい。
ネットワークＩ／Ｆ３０は、送信端末２とデータやメッセージの送受信を可能にするための周知の通信装置である。
【００２９】
接続管理部１２は、各送信端末２との通信状態を監視し、送信端末２毎に画像データや音声データの送信可否を判定する。また、接続管理部１２は、その判定結果に基づいて、画像データの送信可否を各送信端末２に送信すると共に、音声データの送信許可または送信不許可を音声データの送信許可要求を送信した送信端末２に通知する。
【００３０】
表示管理部１３は、分割領域表示または全領域表示に応じて、各送信端末２に表示領域を割り当てると共に、送信端末２毎に割り当てた表示領域を管理する。
画像データ受信部１４は、ネットワークＩ／Ｆ３０を介して送信端末２から画像データを受信すると、該画像データを画像データ展開部１５に出力する。
画像データ展開部１５は、画像データ受信部１４から受け取った画像データを復号して表示するための画像信号を生成し、該画像信号を画像出力部１６に出力する。画像データ展開部１５は、画像データ生成部２４で実行した処理に対応する、受信した画像データから元の画像を再生するために必要な処理を実行する。
画像出力部１６は、表示管理部１３が決定した、送信端末２毎に割り当てる表示領域に基づいて、当該表示領域に画像データ展開部１５から受け取った画像信号が示す画像を表示する。
【００３１】
音声データ受信部１７は、ネットワークＩ／Ｆ３０を介して送信端末２から音声データを受信すると、該音声データを音声データ展開部１８に出力する。
音声データ展開部１８は、音声データ受信部１７から受け取った音声データを復号して再生するための音声信号を生成し、該音声信号を音声出力部１９に出力する。音声データ展開部１８は、音声データ生成部２７で実行した処理に対応する、受信した音声データから元の音声を再生するために必要な処理を実行する。
音声出力部１９は、音声データ展開部１８から受け取った音声信号が示す音声を再生する。
【００３２】
次に、図２に示した送信端末及び表示装置の動作について図３及び４を用いて説明する。
図３は、第１の実施の形態のプレゼンテーションシステムによる画像データの送受信処理の一例を示すシーケンス図であり、図４は、第１の実施の形態のプレゼンテーションシステムによる音声データの送受信処理の一例を示すシーケンス図である。
図３及び図４で示す送信端末２及び表示装置１の処理は、例えば送信端末２が備える接続制御部２２及び表示装置１が備える接続管理部１２で実行される。後述する第２の実施の形態及び第３の実施の形態で示す送信端末２及び表示装置１の処理も同様である。
【００３３】
なお、図３は、図１に示した送信端末Ａ（２Ａ）及び送信端末Ｂ（２Ｂ）から送信された画像データに基づく画像Ａ，Ｂを分割領域表示し、送信端末Ｘからの画像データの送信を許可しない場合の処理例を示している。また、図４は、図１に示した送信端末Ａ（２Ａ）及び送信端末Ｂ（２Ｂ）から音声データを送信する場合の処理例を示している。
【００３４】
図３に示すように、送信端末Ａ（２Ａ）は、表示装置１に画像を表示させる場合、該表示装置１に接続要求を送信する。
表示装置１は、送信端末Ａ（２Ａ）から接続要求を受信すると、該送信端末Ａ（２Ａ）に接続許可を通知し、送信端末Ａ（２Ａ）に表示領域の割り当てが可能か否かを判定する。表示領域の割り当てが可能な場合、表示装置１は、接続要求を送信した送信端末Ａ（２Ａ）に表示領域を割り当て、該送信端末Ａ（２Ａ）に画像データの送信許可を通知する。送信端末Ａ（２Ａ）は、表示装置１から画像データの送信許可を受信すると、画像データの送信を開始する。表示装置１は、送信端末Ａ（２Ａ）から受信した画像信号が示す画像Ａを表示する。
続いて、表示装置１は、送信端末Ｂ（２Ｂ）から接続要求を受信すると、該送信端末Ｂ（２Ｂ）に接続許可を通知し、送信端末Ｂ（２Ｂ）に表示領域の割り当てが可能か否かを判定する。表示領域の割り当てが可能な場合、表示装置１は、接続要求を送信した送信端末Ｂ（２Ｂ）に表示領域を割り当て、該送信端末Ｂ（２Ｂ）に画像データの送信許可を通知する。送信端末Ｂ（２Ｂ）は、表示装置１から画像データの送信許可を受信すると、画像データの送信を開始する。表示装置１は、送信端末Ａ（２Ａ）から受信している画像信号に基づく画像Ａ及び送信端末Ｂ（２Ｂ）から受信した画像信号に基づく画像Ｂをそれぞれ表示する。
【００３５】
さらに、表示装置１は、送信端末Ｘから接続要求を受信すると、該送信端末Ｘに接続許可を通知し、送信端末Ｘに表示領域の割り当てが可能か否かを判定する。ここでは、送信端末Ｘに表示領域の割り当てができないため、表示装置１は、接続要求を送信した送信端末Ｘに画像データの送信不許可を通知する。送信端末Ｘは、表示装置１から画像データの送信不許可を受信すると、画像データの送信を中止する。
【００３６】
図４に示すように、送信端末Ａ（２Ａ）は、利用者が入力手段２１を用いて音声データの送信指示を入力すると、音声データの送信許可要求を表示装置１に送信する。
表示装置１は、送信端末Ａ（２Ａ）から音声データの送信許可要求を受信すると、該送信端末Ａ（２Ａ）とは異なる他の送信端末から既に音声データを受信しているか否かを判定する。他の送信端末から音声データを受信していない場合は、送信端末Ａ（２Ａ）に音声データの送信許可を通知する。音声データの送信許可が通知された送信端末Ａ（２Ａ）は、音声データの送信を開始し、表示装置１は受信した音声データに基づく音声Ａを再生する。
【００３７】
送信端末Ａ（２Ａ）からの音声データの受信中に、送信端末Ｂ（２Ｂ）から音声データの送信許可要求を受信すると、表示装置１は、該送信端末Ｂ（２Ｂ）に音声データの送信不許可を通知する。
この場合、送信端末Ｂ（２Ｂ）は、例えば送信端末Ａ（２Ａ）が自律して音声データの送信を終了した後、利用者からの音声データの送信指示入力により、表示装置１へ音声データの送信許可要求を再び送信し、表示装置１から送信許可が得られた時点で、音声データの送信が可能になる。
【００３８】
第１の実施の形態によれば、入力手段２１を用いて利用者が明示的に送信を指示した場合にのみ、送信端末２から表示装置１に音声データが送信される。そのため、表示装置１と送信端末２間で画像データや音声データを送受信するための通信帯域を無駄にすることがない。また、表示装置１が分割領域表示している場合、利用者が入力手段２１を用いて明示的に送信を指示した送信端末２から表示装置１に音声データが送信され、表示装置１は該音声データに基づく音声を再生する。そのため、音声利用の自由度が高いプレゼンテーションシステムが得られる。例えば、分割領域表示のときに利用者が指定した表示領域に対応する音声の再生が可能になる。
【００３９】
（第２の実施の形態）
第２の実施の形態は、表示装置１が、任意の送信端末２からの音声データの受信中に、他の送信端末２から音声データの送信許可要求を受信した場合、音声データを送信中の送信端末２にその送信を終了させ、送信許可要求を送信した他の送信端末２による音声データの送信を可能にする例である。
【００４０】
図５は、第２の実施の形態のプレゼンテーションシステムによる音声データの送受信処理の一例を示すシーケンス図である。プレゼンテーションシステムの構成は、図１及び図２に示した第１の実施の形態のプレゼンテーションシステムと同様であるため、その説明は省略する。なお、図５は、図１に示した送信端末Ａ（２Ａ）及び送信端末Ｂ（２Ｂ）から音声データを送信する場合の処理例を示している。
【００４１】
図５に示すように、送信端末Ａ（２Ａ）は、利用者が入力手段２１を用いて音声データの送信指示を入力すると、音声データの送信許可要求を表示装置１に送信する。
表示装置１は、送信端末Ａ（２Ａ）から音声データの送信許可要求を受信すると、該送信端末Ａ（２Ａ）とは異なる他の送信端末２から既に音声データを受信しているか否かを判定し、音声データを受信していない場合は、送信端末Ａ（２Ａ）に音声データの送信許可を通知する。音声データの送信許可が通知された送信端末Ａ（２Ａ）は、音声データの送信を開始する。
【００４２】
表示装置１は、送信端末Ａ（２Ａ）からの音声データの受信中に、送信端末Ｂ（２Ｂ）から音声データの送信許可要求を受信すると、音声データを送信中の送信端末Ａ（２Ａ）に音声データの受信終了を通知する。この場合、送信端末Ａ（２Ａ）は音声データの送信を終了する。
また、表示装置１は、送信端末Ａ（２Ａ）に音声データの受信終了を通知した後、音声データの送信許可要求を送信した送信端末Ｂ（２Ｂ）に音声データの送信許可を通知する。音声データの送信許可が通知された送信端末Ｂ（２Ｂ）は、音声データの送信を開始する。
【００４３】
第２の実施の形態のプレゼンテーションシステムでは、表示装置１が、任意の送信端末２からの音声データの受信中に、他の送信端末２から送信許可要求を受信した場合、音声データを送信中の送信端末２にその送信を終了させ、送信許可要求を送信した送信端末２に音声データを送信させる。そのため、音声データを送信中の送信端末２が自律して該音声データの送信を終了しなくても、他の送信端末２から表示装置１へ音声データの送信が可能になる。
【００４４】
（第３の実施の形態）
第３の実施の形態は、表示装置１が、任意の送信端末２からの音声データの受信中に、他の送信端末２から音声データの送信許可要求を受信した場合、該他の送信端末２による音声データの送信許可要求を許可するか否かを判定する例である。以下では、任意の送信端末２から音声データを受信している状態において、他の送信端末２から音声データの送信許可要求を受信することを「割り込み要求」と称す場合がある。
【００４５】
図６は、第３の実施の形態の表示装置による処理の一例を示すフローチャートである。プレゼンテーションシステムの構成は、図１及び図２に示した第１の実施の形態のプレゼンテーションシステムと同様であるため、その説明は省略する。
【００４６】
図６に示すように、第３の実施の形態の表示装置１は、任意の送信端末２から音声データの送信許可要求を受信すると、他の送信端末２からの音声データを受信中であるか否かを判定する（ステップＳ１）。
音声データを受信中でない場合、表示装置１は、後述するステップＳ５の処理へ移行して音声データの送信許可要求を送信した他の送信端末２に音声データの送信許可を通知する。
音声データを受信中である場合、表示装置１は、所定の条件に基づいて音声データの送信許可要求を送信した他の送信端末２による割り込み要求を許可するか否かを判定する（ステップＳ２）。
割り込み要求を許可しない場合、表示装置１は、送信許可要求を送信した他の送信端末２に音声データの送信不許可を通知する（ステップＳ３）。
【００４７】
割り込み要求を許可する場合、表示装置１は、音声データを受信中の送信端末２に音声データの受信終了を通知し（ステップＳ４）、その後、音声データの送信許可要求を送信した他の送信端末２に音声データの送信許可を通知する（ステップＳ５）。
【００４８】
表示装置１は、割り込み要求を許可するか否かを、例えば以下の（１）〜（３）で示す条件にしたがって判定すれよい。
（１）表示装置１が全領域表示している場合、すなわち１台の送信端末２で表示装置１を占有している場合、表示装置１は、音声データの送信許可要求を受信すると、該送信端末２に割り込み要求がある旨を通知する。表示装置１を占有している送信端末２は、例えば該送信端末２の画面に、割り込み要求がある旨を表示して利用者に通知する。利用者が、入力手段２１を用いて割り込み要求に対する音声データの送信受け入れ可否を指示入力すると、表示装置１を占有している送信端末２は、該利用者の指示にしたがって割り込み要求による音声データの送信許可または禁止を表示装置１に通知する。表示装置１は、該送信端末２からの指示にしたがって割り込み要求の許可または不許可を判定すればよい。この場合、音声データを送信中の送信端末２の利用者に、割り込み要求による音声データの送信許可または不許可の決定権を付与できる。
【００４９】
（２）表示装置１が分割領域表示を行っている場合、表示装置１は、他の送信端末２による割り込み要求を許可する。表示装置１は、第２の実施の形態と同様に、音声データを送信中の送信端末２に音声データの送信を終了させて、音声データの送信許可要求を送信した送信端末２に音声データを送信させる。この場合、音声データを送信中の送信端末２が自律して該音声データの送信を終了しなくても、他の送信端末２から表示装置１へ音声データの送信が可能になる。
【００５０】
（３）予め利用者により、表示装置１の入力手段１１を用いて割り込み要求の許可または禁止を設定できるようにする。表示装置１は、利用者の指示にしたがって割り込み要求の許可または不許可を判定すればよい。この場合、表示装置１で割り込み要求を“禁止”にしておけば、他の送信端末２による割り込み要求を許可しないようにできる。
【００５１】
（第４の実施の形態）
図７は第４の実施の形態の送信端末及び表示装置の一構成例を示すブロック図であり、図８は第４の実施の形態の送信端末及び表示装置の動作の一例を示す模式図である。
【００５２】
図７に示すように、第４の実施の形態は、図２に示した第１の実施の形態の送信端末２が備える画像データ送信部２５及び音声データ送信部２８の機能をデータ送信部４１で実現し、表示装置１が備える画像データ受信部１４及び音声データ受信部１７の機能をデータ受信部３１で実現した構成である。
【００５３】
図８に示すように、第４の実施の形態の送信端末４のデータ送信部４１は、送信するデータが画像データであるか音声データであるかを示す識別子（画像識別子または音声識別子）を付与して表示装置３に送信する。
表示装置３のデータ受信部３１は、送信端末４からデータを受信すると、識別子に基づいて該データが画像データであるか音声データであるかを識別し、画像データを画像データ展開部１５に出力し、音声データを音声データ展開部１８に出力する。その他の構成及び動作は、上述した第１〜第３の実施の形態と同様であるため、その説明は省略する。
【００５４】
第４の実施の形態の構成でも、上述した第１〜第３の実施の形態と同様の効果を得ることができる。
【００５５】
（第５の実施の形態）
図９は第５の実施の形態の送信端末及び表示装置の一構成例を示すブロック図であり、図１０は第５の実施の形態の送信端末及び表示装置の動作の一例を示す模式図である。
【００５６】
図９に示すように、第５の実施の形態は、第４の実施の形態と同様に、図２に示した第１の実施の形態の送信端末２が備える画像データ送信部２５及び音声データ送信部２８の機能をデータ送信部６２で実現し、表示装置１が備える画像データ受信部１４及び音声データ受信部１７の機能をデータ受信部５１で実現した構成である。
さらに、第５の実施の形態は、図２に示した第１の実施の形態の送信端末２が備える画像データ生成部２４及び音声データ生成部２７の機能をデータ生成部６１で実現し、表示装置１が備える画像データ展開部１５及び音声データ展開部１８の機能をデータ展開部５２で実現した構成である。
【００５７】
図１０に示すように、第５の実施の形態の送信端末６のデータ生成部６１は、送信対象となる画像データ及び音声データを生成すると共に、それらを結合した送信データを生成し、該送信データをデータ送信部６２に出力する。このとき、データ生成部６１は、画像データ及び音声データにそれらを識別するための情報を示すヘッダを付与して送信データを生成する。
データ送信部６２は、データ生成部６１から受け取った送信データをネットワークＩ／Ｆ２９を介して表示装置５に送信する。
【００５８】
表示装置５のデータ受信部５１は、送信端末６からデータを受信すると、該データをデータ展開部５２に出力する。
データ展開部５２は、受信したデータからヘッダを利用して画像データ及び音声データを分離し、それらを復号して画像信号及び音声信号を再生する。そして、データ展開部５２は、再生した画像信号を画像出力部１６に出力し、再生した音声信号を音声出力部１９に出力する。
【００５９】
第５の実施の形態の構成でも、上述した第１〜第３の実施の形態と同様の効果を得ることができる。
【００６０】
なお、上述した第１〜第５の実施の形態では、利用者が入力手段を用いて明示的に送信を指示した送信端末から表示装置に音声データが送信される例を示したが、同様の処理は画像データの送信にも適用することが可能である。その場合、不要な画像データの送受信を抑制できる。
【符号の説明】
【００６１】
１、３、５    表示装置
２、２Ａ〜２Ｄ、４、６    送信端末
１１、２１    入力手段
１２    接続管理部
１３    表示管理部
１４    画像データ受信部
１５    画像データ展開部
１６    画像出力部
１７    音声データ受信部
１８    音声データ展開部
１９    音声出力部
２２    接続制御部
２３    画像キャプチャ部
２４    画像データ生成部
２５    画像データ送信部
２６    音声キャプチャ部
２７    音声データ生成部
２８    音声データ送信部
２９、３０    ネットワークＩ／Ｆ
３１、５１    データ受信部
４１、６２    データ送信部
５２    データ展開部
６１    データ生成部
【図１】
2017169101.tif 000003
【図２】
2017169101.tif 000004
【図３】
2017169101.tif 000005
【図４】
2017169101.tif 000006
【図５】
2017169101.tif 000007
【図６】
2017169101.tif 000008
【図７】
2017169101.tif 000009
【図８】
2017169101.tif 000010
【図９】
2017169101.tif 000011
【図１０】
2017169101.tif 000012